(57)【要約】【課題】設置する施工現場における作業を簡略化できるとともに、筐体内のセンサを水抜き孔に確実に一致させることができる照明付表示装置を提供する。【解決手段】照明付表示装置１０は、照明ユニット１２と、照明ユニット１２を収容する開口部１５を有する筐体１４と、開口部１５に設けられる表示パネル１６とを備えている。照明ユニット１２は、表示パネル１６を照射する灯具２８と、灯具２８を点灯制御する点灯回路２９と、灯具２８を支持する補強チャンネル３１と、照度センサ３８を有し、筐体１４は、水抜き孔２６を有し、照度センサ３８は、センサ３８の検知範囲と水抜き孔２６が重複するように、取付位置が可変となるように支持されている。【選択図】図３
2009288297.tif 000002
【特許請求の範囲】
【請求項１】
照明ユニットと、前記照明ユニットを収容する開口部を有する筐体と、前記筐体の開口部に設けられる表示パネルとを備えた照明付表示装置であって、
前記照明ユニットは、
前記表示パネルを照射する光源と、
前記光源を点灯制御する点灯回路と、
前記光源を支持する取付基板と、
前記光源の点灯を制御するための照度センサまたは人感センサのうち少なくとも一方のセンサを有し、
前記筐体は、水抜き孔を有し、
前記照度センサまたは前記人感センサのうち少なくとも一方のセンサの検知範囲と前記水抜き孔とが重複するように、前記少なくとも一方のセンサの取付位置が可変となるように支持されることを特徴とする照明付表示装置。
【発明の詳細な説明】
【技術分野】
【０００１】
本発明は、筐体内に照明ユニットの光源や照度センサなどが収容され、筐体に水抜き孔が形成された照明付表示装置に関するものである。
【背景技術】
【０００２】
一般に照明付表示装置は、表示パネルなどの表示部を照射する灯具を備え、室外の照度を検出して日没時に灯具を点灯させるための照度センサを備えている。
この照明付表示装置によれば、室外の照度を照度センサで検知して、照度センサの検知信号に基づいて灯具を日没時に点灯させて、表示パネルなどの表示部を照射することが可能である（例えば、特許文献１参照）。
【特許文献１】特開２００８−１６２８３（図１、請求項１）
【０００３】
また、照明付表示装置のなかには、夜間に照明装置を消灯させているときに人が近付いてきたときに照明装置を点灯させるための人感センサを備えたものがある。
照明付表示装置に人感センサを備えることで、夜間に照明装置を消灯させているときに人が近付いてきたときに人感センサで人を検知して、照度センサの検知信号に基づいて灯具を日没時に点灯させて、表示パネルなどの表示部を照射することが可能である。
【０００４】
このような照明付表示装置において、照度センサや人感センサは、風雨から守るために表示装置の筐体内に配置される。
これらの照度センサや人感センサを用いる場合は、筐体に開口を設けてセンサの検知範囲を確保する必要がある。
センサの検知範囲を確保するために開口を別途設けると外観性悪くなるため、筐体の底部に設けられた水抜き孔がセンサ用の開口として兼用される。
【発明の開示】
【発明が解決しようとする課題】
【０００５】
しかしながら、水抜き孔は、表示装置を設置する施工現場において作業者によって任意箇所に設けられることが多い。
このため、照度センサや人感センサの位置と一致する位置に水抜き孔を設ける作業が煩雑になっていた。
【０００６】
本発明は、前述した要望を満たすためになされたもので、その目的は、設置する施工現場における作業を簡略化できるとともに、筐体内のセンサを水抜き孔に確実に一致させることができる照明付表示装置を提供することにある。
【課題を解決するための手段】
【０００７】
本発明の照明付表示装置は、照明ユニットと、前記照明ユニットを収容する開口部を有する筐体と、前記筐体の開口部に設けられる表示パネルとを備えた照明付表示装置であって、前記照明ユニットは、前記表示パネルを照射する光源と、前記光源を点灯制御する点灯回路と、前記光源を支持する取付基板と、前記光源の点灯を制御するための照度センサまたは人感センサのうち少なくとも一方のセンサを有し、前記筐体は、水抜き孔を有し、前記照度センサまたは前記人感センサのうち少なくとも一方のセンサの検知範囲と前記水抜き孔とが重複するように、前記少なくとも一方のセンサの取付位置が可変となるように支持されることを特徴とする。
【０００８】
照度センサまたは人感センサのうち少なくとも一方を有し、そのセンサの取付位置が可変となるように支持した。
これにより、センサの位置調節が簡単におこなえるので、穴部とセンサの検知範囲とを重複させる作業が容易になる。
【発明の効果】
【０００９】
本発明の照明付表示装置によれば、センサの位置調節が簡単におこなえるので、設置する施工現場における作業を簡略化できるとともに、筐体内のセンサを水抜き孔に確実に一致させることができるという効果を有する。
【発明を実施するための最良の形態】
【００１０】
以下、本発明の実施形態に係る照明付表示装置について、図面を参照して説明する。
図１〜図２に示すように、第１実施形態の照明付表示装置１０は、店舗や駅などで用いられる看板灯であり、照明ユニット１２と、照明ユニット１２を収容する開口部１５を有する筐体１４と、筐体１４の開口部１５に設けられた表示パネル１６とを備えている。
【００１１】
筐体１４は、裏壁２１、左右の側壁２２（左側壁２２は図４参照）、裏壁２１および左右の側壁２２の各上端部に設けられた頂部２３、裏壁２１および左右の側壁２２の各下端部に設けられた底部２４で箱形状に形成され、裏壁２１に対向する部位（すなわち、表面に相当する箇所）に開口部１５が形成されている。
筐体１４の底部２４には、水抜き用の水抜き孔２６が形成されている。
【００１２】
筐体１４の開口部１５に表示パネル１６が設けられている。
表示パネル１６は、筐体１４の表面に相当する箇所に設けられた部材であり、表示用の文字や絵などが描かれ、照明ユニット１２から照射された光が透過可能な板材である。
【００１３】
照明ユニット１２は、表示パネル１６を照射する灯具（光源）２８と、灯具２８を点灯制御する点灯回路２９と、灯具２８および点灯回路２９を支持する補強チャンネル（取付基板）３１と、補強チャンネル３１の下部３１Ａに水平に設けられた左右の固定チャンネル３３と、左右の固定チャンネル３３間に掛け渡されたスライドチャンネル３５と、スライドチャンネルに支持された照度センサ３８とを備えている。
【００１４】
補強チャンネル３１は、筐体１４の裏壁２１のうち、少なくとも左右側にそれぞれ設けられ、灯具２８や点灯回路２９を支持する基板である。
左右の補強チャンネル３１の両端下部３１Ａに左右の固定チャンネル３３が水平にそれぞれ設けられている。
【００１５】
左右の固定チャンネル３３は、左右の補強チャンネル３１の各端下部３１Ａから筐体１４の開口部１５（すなわち、表示パネル１６）に向けて水平に延出された断面略コ字状の部材である。
左右の固定チャンネル３３は、筐体１４の底部２４に並行に配置されている。
左右の固定チャンネル３３にはスライドチャンネル３５が掛け渡されている。
【００１６】
図３〜図４に示すように、スライドチャンネル３５は、筐体１４の底部２４（図２も参照）に並行に配置された断面略コ字状の部材である。
このスライドチャンネル３５は、固定チャンネル３３の長手方向に沿ってＸ−Ｘ方向に移動可能に取り付けられている。
【００１７】
スライドチャンネル３５をＸ−Ｘ方向に移動可能に取り付ける方法としては、例えば、左右の固定チャンネル３３に長手方向に沿って長孔４１がそれぞれ形成されている。
そして、それぞれの長孔にスライドチャンネル３５がボルト４２・ナット４３（図２参照）を介して取り付けられている。
ボルト４２を緩めることで、スライドチャンネル３５を長孔４１、すなわち固定チャンネル３３の長手方向に沿ってＸ−Ｘ方向に移動させることができる。
【００１８】
照度センサ３８は、スライドチャンネル３５に支持され、底部２４（図２も参照）の上方に配置されている。
この照度センサ３８は、スライドチャンネル３５の長手方向に沿ってＹ−Ｙ方向に移動可能に取り付けされている。
【００１９】
照度センサ３８をＹ−Ｙ方向に移動可能に取り付ける方法としては、例えば、スライドチャンネル３５に長手方向に沿って長孔４５が形成されている。
そして、長孔４５に照度センサ３８がボルト４６・ナット（図示せず）を介して取り付けられている。
ボルト４７を緩めることで、照度センサ３８を長孔、すなわちスライドチャンネル３５の長手方向に沿ってＹ−Ｙ方向に移動させることができる。
【００２０】
このように、スライドチャンネル３５がＸ−Ｘ方向に移動可能に取り付けられ、照度センサ３８がＹ−Ｙ方向に移動可能に取り付けられることで、照度センサ３８をＸ−Ｘ方向およびＹ−Ｙ方向に移動可能に支持できる。
よって、照度センサ３８を筐体１４の底部２４に沿って二次元方向に任意に移動させることができる。
【００２１】
このように、照度センサ３８をＸ−Ｘ方向およびＹ−Ｙ方向に移動することで、照度センサ３８の検知範囲が水抜き孔２６に重複するように照度センサ３８を位置決めすることができる。
【００２２】
これにより、照度センサ３８の位置調節が簡単におこなえるので、穴部とセンサの検知範囲とを重複させる作業が容易になる。
したがって、設置する施工現場における作業を簡略化できるとともに、筐体内のセンサを水抜き孔に確実に一致させることができる。
【００２３】
なお、前記実施形態では、照明ユニット１２に照度センサ３８を備えた例について説明したが、これに限らないで、照度センサ３８に加えて人感センサを備えることも可能である。
さらには、照度センサ３８に代えて人感センサのみを備えることも可能である。
【００２４】
また、前記実施形態で示した筐体１４、開口部１５、表示パネル１６、水抜き孔２６、灯具２８、補強チャンネル３１、照度センサ３８などの形状は例示したものに限定するものではなく適宜変更が可能である。
【産業上の利用可能性】
【００２５】
本発明は、筐体内に照明ユニットの光源や照度センサなどが収容され、筐体に水抜き孔が形成された照明付表示装置への適用に好適である。
【図面の簡単な説明】
【００２６】
【図１】本発明に係る照明付表示装置を示す断面図
【図２】図１の２部拡大図
【図３】本発明に係る照明付表示装置を示す斜視図
【図４】図２のＡ−Ａ線断面図
【符号の説明】
【００２７】
１０  照明付表示装置
１２  照明ユニット
１４  筐体
１５  開口部
１６  表示パネル
２６  水抜き孔
２８  灯具（光源）
２９  点灯回路
３１  補強チャンネル（取付基板）
３８  照度センサ
【図１】
2009288297.tif 000003
【図２】
2009288297.tif 000004
【図３】
2009288297.tif 000005
【図４】
2009288297.tif 000006